(57)【要約】【課題】多面鏡付のコンパクト容器において、多面鏡を閉じた状態で対向する鏡同士あるいは対向する鏡と枠体とがぶつかり合うことを防止し、鏡面を保護する。【解決手段】化粧料を収容する容器本体２０、容器本体２０と蝶着している蓋体３０、及び多面鏡１０を備えたコンパクト容器１Ａであって、多面鏡１０が、該多面鏡１０が閉じた状態で順次重なる中央鏡１１と少なくとも一つの袖鏡（第１袖鏡１４ａ、第２袖鏡１４ｂ）からなり、蓋体３０の内側に中央鏡用枠体１２を有し、中央鏡用枠体１２の左右両端部又は片端部に袖鏡用枠体１５ａ、１５ｂが蝶番部材１９ａ、１９ｂによって蝶着されている。袖鏡用枠体１５ａ、１５ｂの鏡側の面の周縁部に突出部（リブ１６ａ、１６ｂ）を設け、該突出部を、多面鏡１０を閉じた場合に対向する枠体に当接させる。【選択図】図２
2006325924.tif 000002
【特許請求の範囲】
【請求項１】
化粧料を収容する容器本体、容器本体と蝶着している蓋体、及び多面鏡を備えたコンパクト容器であって、
多面鏡が、該多面鏡が閉じた状態で重なる中央鏡と少なくとも一つの袖鏡からなり、
中央鏡及び袖鏡が、それぞれ枠体に取り付けられ、
蓋体の内側に中央鏡用枠体を有し、
中央鏡用枠体の左右両端部又は片端部に袖鏡用枠体が蝶番部材によって取り付けられ、
袖鏡用枠体の周縁部に突出部を設け、該突出部が、多面鏡を閉じた場合に対向する枠体に当接するようにしたコンパクト容器。
【請求項２】
多面鏡が中央鏡と一対の袖鏡からなり、中央鏡用枠体の左右両端部に袖鏡用枠体が取り付けられている請求項１記載のコンパクト容器。
【請求項３】
袖鏡用枠体の鏡側の面であって、蝶番部材側の縁部、又は蝶番部材と反対側の縁部に突出部が設けられている請求項１又は２記載のコンパクト容器。
【請求項４】
袖鏡用枠体の鏡側の面であって、蝶番部材側の角隅部、又は蝶番部材と反対側の角隅部に突出部が設けられている請求項１〜３のいずれかに記載のコンパクト容器。
【請求項５】
突出部の鏡面からの高さが０．１〜１．０ｍｍである請求項１〜４のいずれかに記載のコンパクト容器。
【発明の詳細な説明】
【技術分野】
【０００１】
本発明は、ファンデーション、チーク、アイシャドウ等の化粧料を収容するコンパクトな鏡付容器に関する。
【背景技術】
【０００２】
ファンデーション、チーク、アイシャドウ等の化粧料を収容するコンパクト容器として、化粧料を収容する容器本体と、容器本体に開閉自在に蝶着された蓋体からなり、蓋体の内側に平面鏡を貼着したものが普及している。また、このようなコンパクト容器であって、中央鏡と袖鏡からなる三面鏡を蓋体の内側に取り付けたものが提案されている（特許文献１、特許文献２）。
【０００３】
【特許文献１】特開２０００−１７５７３８号公報
【特許文献２】登録実用新案第３０２０８９９号公報
【発明の開示】
【発明が解決しようとする課題】
【０００４】
コンパクト容器に取り付けられる三面鏡では、携帯性を確保するため、できるだけコンパクトになるよう、三面鏡が閉じた状態で、中央鏡とその上に順次重なる一対の袖鏡が隙間なく折りたたまれるようにすることが望ましい。
【０００５】
しかしながら、三面鏡付のコンパクト容器は、その重量が三面鏡のない従前のコンパクト容器に比して重くなるため、三面鏡が隙間無く折りたたまれるようにすると持ち運び時の揺れや、誤って落下させた場合の衝撃により、鏡が破損する場合がある。
【０００６】
これに対して、本発明は、中央鏡と一つ以上の袖鏡を備えた多面鏡付のコンパクト容器において、鏡面を保護することを目的とする。
【課題を解決するための手段】
【０００７】
本発明者は、多面鏡が閉じた状態で順次重なる中央鏡と少なくとも一つの袖鏡とからなり、袖鏡用枠体が中央鏡用枠体の左右両端部又は片端部に蝶着されている場合に、袖鏡用枠体の周縁部に突出部を設け、三面鏡を閉じたときにその突出部が対向する枠体に当接するようにすると、鏡面を保護できることを見出した。
【０００８】
即ち、本発明は、化粧料を収容する容器本体、容器本体と蝶着している蓋体、及び三面鏡を備えたコンパクト容器であって、
多面鏡が、該多面鏡が閉じた状態で重なる中央鏡と少なくとも一つの袖鏡からなり、
中央鏡及び袖鏡が、それぞれ枠体に取り付けられ、
蓋体の内側に中央鏡用枠体を有し、
中央鏡用枠体の左右両端部又は片端部に袖鏡用枠体が蝶番部材によって取り付けられ、
袖鏡用枠体の周縁部に突出部を設け、該突出部が、多面鏡を閉じた場合に対向する枠体に当接するようにしたコンパクト容器を提供する。
【発明の効果】
【０００９】
本発明のコンパクト容器によれば、多面鏡を閉じた状態で、袖鏡用枠体に設けられた突出部が対向する枠体に当接することにより、鏡面が対向する鏡面又は枠体に直接当たることが防止される。したがって、コンパクト容器の持ち運び時の揺れや、誤って落下させた場合の衝撃に対して、鏡を保護することが可能となる。
【発明を実施するための最良の形態】
【００１０】
以下、図面を参照しつつ、本発明を詳細に説明する。なお、各図中、同一符号は同一又は同等の構成要素を表している。
【００１１】
図１Ａは、多面鏡として三面鏡を備えた本発明の一実施例のコンパクト容器１Ａであって、三面鏡１０を開いた状態の斜視図であり、図１ＢはそのＸ−Ｘ断面図である。
【００１２】
このコンパクト容器１Ａは、三面鏡１０、ファンデーション、チーク、アイシャドウ等の化粧料Ａを収容する容器本体２０、及び容器本体２０の開口面を開閉自在に覆う蓋体３０からなり、三面鏡１０は中央鏡１１と左右一対の第１袖鏡１４ａ、第２袖鏡１４ｂからなる。
【００１３】
容器本体２０には、化粧料Ａの他、必要に応じてスポンジ２１、はけ、ブラシ（図示せず）等の化粧用具が収容されるスペースが設けられる。
【００１４】
蓋体３０は、蓋外側部材３１に中央鏡用枠体１２を接合したものからなり、この中央鏡用枠体１２に中央鏡１１が接着剤、粘着剤等により貼着されている。蓋体３０は、中央鏡１１の下端側で容器本体２０と蝶着している。
【００１５】
一対の袖鏡１４ａ、１４ｂは、袖鏡用枠体１５ａ、１５ｂに接着剤、粘着剤等により貼着され、袖鏡用枠体１５ａ、１５ｂが、中央鏡用枠体１２の両端部の蝶番部材１８ａ、１８ｂに、袖鏡用枠体の蝶番部材１９ａ、１９ｂをピンで掛合することにより蝶着されている。
【００１６】
図２は、図１Ａのコンパクト容器において、中央鏡１１、第１袖鏡１４ａ、第２袖鏡１４ｂを順次重ね合わせて三面鏡１０を閉じ、蓋体３０を閉じた状態のＸ−Ｘ方向の断面図である。このようにこのコンパクト容器１Ａでは、三面鏡１０の中央鏡１１と第１袖鏡１４ａと第２袖鏡１４ｂとがちょうど重なり合うように、それらの枠体１２、１４ａ、１４ｂが蝶着されている。したがって、コンパクト容器１Ａ内において、三面鏡１０の鏡面の面積をできる限り広く確保することが可能となる。
【００１７】
第１袖鏡用枠体１５ａの鏡側の面の周縁部及び第２袖鏡用枠体１５ｂの鏡側の面の周縁部には、それぞれの鏡面から突出し、縁辺に沿って延びたリブ１６ａ、１６ｂが設けられている。これらのリブ１６ａ、１６ｂは、三面鏡１０を閉じた場合には、図２に示すように、第１袖鏡用枠体１５ａの周縁部のリブ１６ａは、対向する中央鏡用枠体１２に当接し、第２袖鏡用枠体１５ｂの周縁部のリブ１６ｂは、対向する第１袖鏡用枠体１５ｂの背面に当接する。これらのリブによって、コンパクト容器１Ａの持ち運び時の揺れや、誤って落下させた場合の衝撃が吸収され、鏡が破損することが防止される。特に、このコンパクト容器１Ａにおいては、図示したように、第１袖鏡用枠体１５ａの周縁部のリブ１６ａが、第１袖鏡用枠体１５ａの蝶番部材１９ａと反対側の縁部に位置し、第２袖鏡用枠体１５ｂの周縁部のリブ１６ｂも第２袖鏡用枠体１５ｂの蝶番部材１９ｂと反対側の縁部に位置しているので、これらのリブ１６ａ、１６ｂにより鏡面を確実に保護することが可能となる。
【００１８】
これに対し、第１袖鏡用枠体１５ａの周縁部のリブ１６ａを第１袖鏡用枠体１５ａの蝶番部材１９ａの近傍のみに設けたり、あるいは第２袖鏡用枠体１５ｂの周縁部のリブ１６ｂを第２袖鏡用枠体１５ｂの蝶番部材１９ｂの近傍のみに設けることもできるが、枠体の撓み等により袖鏡１４ａ、１４ｂが直接対向する枠体や鏡面に当たることを防止する点から、前述のようにリブ１６ａ、１６ｂは蝶番部材１９ａ、１９ｂと反対側の縁部に設けることが好ましい。
【００１９】
また、袖鏡用枠体１５ａ、１５ｂの鏡側の面の周縁部に設ける突出部としては、袖鏡１４ａ、１４ｂの全周を囲むようにリブを設けてもよいが、使用時に袖鏡１４ａ、１４ｂの鏡面が奥まって感じられるので、リブを設ける場合には袖鏡用枠体１５ａ、１５ｂ内で該袖鏡用枠体１５ａ、１５ｂの蝶番部材１９ａ、１９ｂと反対側の縁部のみに設けるか、あるいは、図１Ａ、図１Ｂに示すように、その縁部のリブ１６ａ、１６ｂに加えて、袖鏡用枠体１５ａ、１５ｂ内でそのリブ１６ａ、１６ｂと対向する縁部にもリブ１６ｘ、１６ｙを設けることが好ましい。
【００２０】
この他、袖鏡用枠体１５ａ、１５ｂの鏡側の面の周縁部に設ける突出部としては、リブ１６ａ、１６ｂに代えて、図３に示すコンパクト容器１Ｂのように、袖鏡１４ａ、１４ｂの外側の角隅部にスポット状の突起１６ｐを設けてもよい。また、スポット状の突起１６ｐを袖鏡１４ａ、１４ｂの外側の角隅部でなく、蝶番側の角隅部、すなわち袖鏡用枠体１５ａ、１５ｂにおける蝶番部材１９ａ、１９ｂの端部近傍に設けても良い。
【００２１】
本発明において、リブあるいはスポット状突起等の突出部の形状については特に制限はなく、コンパクト容器全体のデザイン上の要請に応じて種々の形状にすることができる。また、突出部の形状を滑らかに形成すると、外見上突出部がほとんど視認されず、デザイン上の障害になることがないので好ましい。
【００２２】
上述のコンパクト容器１Ａ、１Ｂにおいて、袖鏡用枠体１５ａ、１５ｂの鏡側の面の周縁部に設けるリブあるいはスポット状の突起等の突出部は、一対の鏡用枠体１５ａ、１５ｂのいずれか一方にのみ設けてもよいが、双方の袖鏡用枠体１５ａ、１５ｂに設けることが鏡面の損傷を一層確実に防止でき好ましい。
【００２３】
袖鏡用枠体の周縁部に設ける突出部は、袖鏡用枠体の鏡側の面に設けるのに加えて、鏡側と反対側の面に設けてもよい。例えば図４に示すコンパクト容器１Ｃのように、第１袖鏡用枠体１５ａの鏡側の面には図１、図２のコンパクト容器１Ａと同様にリブ１６ａ、１６ｘを設け、その裏面の蝶番部材１９ａ側にリブ１６ｚを設け、第２袖鏡用枠体１５ｂではリブを省略してもよい。
【００２４】
リブ１６ａ、１６ｂ等の突出部の鏡面からの高さＬ１、Ｌ２は、鏡面を有効に保護し、かつできる限りコンパクトに三面鏡を畳めるようにする点から、０．１〜１．０ｍｍが好ましく、０．３〜０．５ｍｍがより好ましい。
【００２５】
以上、多面鏡として、中央鏡の左右両側に一対の袖鏡を有する三面鏡を備えたものを例として本発明のコンパクト容器を説明したが、本発明はこれに限らず、中央鏡の片側に袖鏡を有する２面鏡を備えたものなど、本発明において多面鏡を構成する鏡の数に制限はない。
【産業上の利用可能性】
【００２６】
本発明のコンパクト容器は、ファンデーション、チーク、アイシャドウ等の化粧料を収容する容器として有用である。
【図面の簡単な説明】
【００２７】
【図１Ａ】本発明のコンパクト容器において、三面鏡を開いた状態の斜視図である。
【図１Ｂ】図１Ａのコンパクト容器のＸ−Ｘ断面図である。
【図２】コンパクト容器を閉じた状態の断面図である。
【図３】異なる態様のコンパクト容器であって三面鏡を開いた状態の斜視図である。
【図４】さらに異なる態様のコンパクト容器を閉じた状態の断面図である。
【符号の説明】
【００２８】
１Ａ、１Ｂ、１Ｃ    コンパクト容器
１０    三面鏡
１１    中央鏡
１２    中央鏡用枠体
１４ａ、１４ｂ    袖鏡
１５ａ、１５ｂ    袖鏡用枠体
１６ａ、１６ｂ、１６ｘ、１６ｙ、１６ｚ    リブ
１６ｐ    スポット状の突出部
１８ａ、１８ｂ    蝶番部材
１９ａ、１９ｂ    蝶番部材
２０    容器本体
２１    スポンジ
３０    蓋体
３１    蓋外側部材
Ａ    化粧料
【図１Ａ】
2006325924.tif 000003
【図１Ｂ】
2006325924.tif 000004
【図２】
2006325924.tif 000005
【図３】
2006325924.tif 000006
【図４】
2006325924.tif 000007